(57)【要約】【課題】高級でありながらどこか懐かしいレトロな感じが感じられる意匠性の高い意匠性発光装置を提供する。【解決手段】表面に文字、図形、または模様を表す形状の開口を有する筐体２と、前記筐体２内に配置された複数の光源３と、前記複数の光源３にそれぞれ対向配置されて前記各光源３から照射される光をそれぞれ透過させる複数の透光体４を備え、前記透光体４は、長手形状であって一端に前記光源３と対向して前記光源３の光を入光する入光面４ｄを有し他端に前記光を放出する光放出面４ｆを有するインナー透光体４ａと、前記インナー透光体４ａの前記他端側の少なくとも一部を挿入する挿入孔４ｇを有して該挿入孔４ｇから入光する光を透過させて外周表面４ｈから放出するアウター透光体４ｂとで構成された。【選択図】図２
2018022040.tif 000002
【特許請求の範囲】
【請求項１】
表面に文字、図形、または模様を表す形状に形成された筐体と、
前記筐体に配置された複数の光源と、
前記複数の光源にそれぞれ対向配置されて前記各光源から照射される光をそれぞれ透過させる複数の透光体を備え、
前記透光体は、
長手形状であって一端に前記光源と対向して前記光源の光を入光する入光面を有し他端に前記光を放出する光放出面を有するインナー透光体と、
前記インナー透光体の前記他端側の少なくとも一部を挿入する挿入孔を有して該挿入孔から入光する光を透過させて外周表面から放出するアウター透光体とで構成された
意匠性発光装置。
【請求項２】
前記インナー透光体の前記光放出面及び前記アウター透光体の前記挿入孔の奥面の少なくとも一方に、前記インナー透光体の光透光方向に対して平行でも直角でもない傾斜面部または曲面部を備えた
請求項１記載の意匠性発光装置。
【請求項３】
前記挿入孔の開口の最大幅は、前記アウター透光体の最大幅の５％以上で、且つ５０％以下である
請求項１または２記載の意匠性発光装置。
【請求項４】
前記挿入孔の深さは、前記アウター透光体の直径の２０％以上で、且つ８０％以下である
請求項３記載の意匠性発光装置。
【請求項５】
前記インナー透光体は、前記アウター透光体に固定されている
請求項１から４の何れかに記載の意匠性発光装置。
【請求項６】
前記筐体内に配置され前記光源からの発光を制御する電子回路基板を
さらに備え、
前記電子回路基板上には、前記光源が直付けされている
請求項１から５の何れかに記載の意匠性発光装置。
【請求項７】
前記アウター透光体の前記外周表面、前記インナー透光体の前記光放出面、及び前記アウター透光体の前記挿入孔の奥面の少なくとも一つの面は、半透明な領域を有している
請求項１から６の何れかに記載の意匠性発光装置。
【発明の詳細な説明】
【技術分野】
【０００１】
この発明は、例えば店名やロゴの照明サインや照明広告等に利用されるような意匠性発光装置に関する。
【背景技術】
【０００２】
従来、店名やロゴを明るく表示する照明サインや照明広告と呼ばれるような意匠性発光装置が提供されている。このような意匠性発光装置は、光源の光を前面パネルで拡散して拡散光を放出し、店名やロゴ等の意匠を明るく表示するものである。この意匠性発光装置は、視認性が高く美しいことから、洋服ブランドの店舗、貴金属ブランドの店舗、家電量販店の店舗、あるいは飲食店の店舗などの各種店舗の正面や入口でブランド名あるいは店名を表示するなど、様々な場所で利用されている。
【０００３】
このような意匠性発光装置は、従来のネオンサインから始まって、近年のＬＥＤを用いたＬＥＤサインまで変化してきており、様々な意匠性が求められている。
【０００４】
ＬＥＤを用いたものとして、例えば、特許文献１に示すような表示看板モジュールが提案されている。ここでは、ＬＥＤを金属板に設け、金属材料の放熱性が好ましい特性を利用して迅速的に放熱効果を図り、これにより、ＬＥＤの発光明るさを向上することができる表示看板モジュールを提供できるとされている。
【先行技術文献】
【特許文献】
【０００５】
【特許文献１】実用新案登録第３０８３６３０号公報
【発明の概要】
【発明が解決しようとする課題】
【０００６】
しかし、近年、売られる商品の機能や性能の差が小さくなり、高品質の商品が市場に溢れかえるようになっている。これに伴い、機能や性能といったものより、ブランドイメージや、高級感、レトロ感といった印象を重視して商品の購入やサービスの利用をする利用者層が増加している。そして、こうした利用者層は、街中で見かける表示看板から受ける印象を商品およびサービスの印象に重ねている。そのため、単に明るいだけの表示看板だけではなく、様々な印象を利用者に与えられる表示看板が求められている。
【０００７】
本願発明は、上述の問題に鑑みてなされたものであり、見る人に対して、高級でありながらどこか懐かしいレトロな印象を与えられる意匠性の高い意匠性発光装置を提供することを目的とする。
【課題を解決するための手段】
【０００８】
本願発明は、表面に文字、図形、または模様を表す形状の開口を有する筐体と、前記筐体内に配置された複数の光源と、前記複数の光源にそれぞれ対向配置されて前記各光源から照射される光をそれぞれ透過させる複数の透光体を備え、前記透光体は、長手形状であって一端に前記光源と対向して前記光源の光を入光する入光面を有し他端に前記光を放出する光放出面を有するインナー透光体と、前記インナー透光体の前記他端側の少なくとも一部を挿入する挿入孔を有して該挿入孔から入光する光を透過させて外周表面から放出するアウター透光体とで構成された意匠性発光装置であることを特徴とする。
【発明の効果】
【０００９】
本願発明により、高級でありながらどこか懐かしいレトロな感じが感じられる意匠性の高い意匠性発光装置を提供できる。
【図面の簡単な説明】
【００１０】
【図１】意匠性発光装置の正面図。
【図２】意匠性発光装置の一部拡大縦断面による説明図。
【図３】アウター透光体およびインナー透光体の説明図。
【図４】アウター透光体の外形のバリエーションの縦断面による説明図。
【図５】インナー透光体の外形のバリエーションの縦断面による説明図。
【図６】他の実施例による意匠性発光装置の正面の説明図。
【図７】他の実施例による意匠性発光装置の縦断面による説明図。
【発明を実施するための形態】
【００１１】
以下、本願発明の一実施形態を図面と共に説明する。
【実施例１】
【００１２】
図１は、意匠性発光装置の正面図を示し、図２は、意匠性発光装置の一部拡大縦断面図を示す。
【００１３】
意匠性発光装置１は、ストロークによって描かれた文字、図形、または模様を表す意匠を成す所謂チャンネル文字と言われるものであり、この例では、正面から見ると「Ｄ」という文字を表す形状となっている筐体２と、筐体２内に配置された複数の光源３と、これら複数の光源３とそれぞれ対向配置された複数の透光体４を備えている。
【００１４】
＜筐体＞
筐体２は、表面に「Ｄ」の文字（形状）をかたどって形成された表面部２ａと、表面部２ａに平行に裏面側に設けられて同じ「Ｄ」の文字（形状）をかたどった裏面部２ｅと、表面部２ａおよび裏面部２ｅがなす「Ｄ」の文字の外周部２ｂ及び内周部２ｃを縁取るようにして、裏面部２ｅから表面部２ａの表面側に一定の高さで突出する突出縁部２ｄを有している。これにより、突出縁部２ｄは、表面に「Ｄ」の文字を表した筐体２の開口を形成している。この例では、表面部２ａの「Ｄ」の文字の大きさは、約３００ミリメートル角であり、突出縁部２ｄの高さは、約４５ミリメートルとなっている。
【００１５】
表面部２ａと突出縁部２ｄは、材質がＳＵＳで構成され、表面に塗装が施されている。この例では、表面に赤色の半艶塗装が施されている。この艶の有無は塗料の選択等により調節することができる。そして、艶を出すようにすれば、躍動感を強く感じさせることができ、艶消し仕上げにすることで、高級感を醸し出すことも可能である。
【００１６】
＜光源＞
表面部２ａと裏面部２ｅとの間には、図２に示すように、プラスチックの板をアルミニウムの板で挟むように重ね合わせたアルミ複合板２ｆおよび表面部２ａと裏面部２ｅとが平行に配置されている。アルミ複合板２ｆは、スペーサ２ｈを介して、裏面部２ｅに複数箇所でネジ止めされている。そして、アルミ複合板２ｆ上には、表面部２ａに対向させて電子回路基板５が配置されている。
【００１７】
電子回路基板５には、プリント基板が用いられている。電子回路基板５の表面側には、複数の光源３が直付けされている。光源３は、ＬＥＤが用いられている。そして、表面部２ａには、光源３が照射する光を表面部２ａの裏面側から表面側に通過させる貫通孔２ｇが、各光源３に対向する位置にそれぞれ設けられている。
【００１８】
電子回路基板５には、ＤＣ電源が接続されている。ＤＣ電源からの電気の供給を受けた電子回路基板５により、各貫通孔２ｇに向けて各光源３が照射する光の制御が行われる。
【００１９】
＜透光体＞
透光体４は、表面部２ａの貫通孔２ｇを覆うようにして、表面部２ａの表面側に複数設けられている。この透光体４は、ストロークに沿って１列でかつ略等間隔に配置されている。ストロークに沿って隣接する透光体４の互いの間隔は、透光体４の幅の半分から３倍までの間とすることができ、この実施例では透光体４の幅と同程度の間隔に構成されている。
【００２０】
透光体４は、貫通孔２ｇに挿着される長手形状のインナー透光体４ａと、このインナー透光体４ａの少なくとも一端を覆うアウター透光体４ｂとで構成され、共に透光性のアクリル樹脂を用いて形成されている。これにより、表面部２ａの裏面側から光源３が照射した光は、貫通孔２ｇを通過した後、インナー透光体４ａ、アウター透光体４ｂの順で透光体４を透過することになる。
【００２１】
アウター透光体４ｂの外周表面４ｈの頂部の高さ位置は、突出縁部２ｄの高さ位置とほぼ一致している。そのため、各透光体４を透過して外周表面４ｈから放出された光の多くは、直接、意匠性発光装置１外に放出されるが、一部は、表面部２ａの表面や突出縁部２ｄの表面部２ａに面する面で反射された後、意匠性発光装置１外に放出される。
【００２２】
＜アウター透光体＞
図３（Ａ）に示すように、アウター透光体４ｂは、外形が略球体状に形成されている。アウター透光体４ｂの外形サイズは、直径６〜１００ミリメートルとすることが好ましく、この実施例ではより好ましい３０ミリメートルとしている。
【００２３】
アウター透光体４ｂは、インナー透光体４ａの少なくとも一部（先端部４ｅ）を挿入する挿入孔４ｇを有している。この挿入孔４ｇは、アウター透光体４ｂの半径方向で外周面側から略球体状の中心に向かう略柱状に形成されており、円柱形の側面４ｊと、その深部となる奥面４ｉとを有している。奥面４ｉは円錐形に形成されている。
【００２４】
挿入孔４ｇの奥面４ｉは、当該挿入孔４ｇに挿入されるインナー透光体４ａ（図３（Ｂ）参照）の光透光方向に対して平行でも直角でもない傾斜面部または曲面部により形成されている。この例では、奥面４ｉは、円錐形状に形成されている。奥面４ｉの円錐形の頂角は、４５〜２７０度が好ましく、この実施例ではより好ましい１２０度に形成されている。
【００２５】
挿入孔４ｇの開口の最大幅である直径は、アウター透光体４ｂの最大幅である直径の５％〜５０％が好ましく、この実施例ではより好ましい６ミリメートルに形成されている。
【００２６】
挿入孔４ｇの深さは、アウター透光体４ｂの最大幅である直径の２０％〜８０％が好ましく、この実施例ではより好ましい１６ミリメートルに形成されている。
【００２７】
挿入孔４ｇの開口部には、インナー透光体４ａを固定するための雌ネジ用ネジ溝４ｋが形成されている。尚、接着剤を用いてインナー透光体４ａを固定する場合には、当該雌ネジ用ネジ溝４ｋを無くしても良い。
【００２８】
このような形状のアウター透光体４ｂは、透明または半透明の素材により形成される。具体的には、アクリル等の透明素材により形成して表面（外周表面４ｈ、側面４ｉ、および奥面４ｊの１以上の面）を光沢のあるように滑らかに形成（艶出し加工）する、アクリル等の透明素材により形成して表面にサンド加工などの艶消し加工をして表面のみ半透明とする、あるいはルミレター等の乳白色の素材により形成するなど、透明または／および半透明となる適宜の素材および加工により形成すると良い。これにより、アウター透光体４ｂそのもの、外周表面４ｈの全部または一部、挿入孔４ｇの側面４ｉの全部または一部、および挿入孔４ｇの奥面４ｊの全部または一部は、透明または半透明に形成されており、全体として、透明のみ、半透明のみ、あるいは透明と半透明の組み合わせに形成されている。
【００２９】
＜インナー透光体＞
図３（Ｂ）に示すように、インナー透光体４ａは、長手形状に形成されており、略円筒形状の後端部４ｃと、略円錐形状の先端部４ｅとを有している。インナー透光体４ａの幅は、アウター透光体４ｂの最大幅である直径の５％〜５０％が好ましく、この実施例ではより好ましい６ミリメートルに形成されている。
【００３０】
インナー透光体４ａの長手方向の全長は、アウター透光体４ｂ（図３（Ａ）参照）の挿入孔４ｇの深さの３０〜１００％の長さに１〜３０ミリメートルを加えた長さとすることが好ましく、この実施例ではより好ましい２０ミリメートルに形成されている。
【００３１】
インナー透光体４ａの先端部４ｅの長さは、インナー透光体４ａの全長の１０〜８０％が好ましく、この実施例ではより好ましい１０ミリメートルに形成されている。
【００３２】
インナー透光体４ａの先端部４ｅは、光を放出する光放出面４ｆを有している。この光放出面４ｆは、インナー透光体４ａの光透光方向に対して平行でも直角でもない傾斜面部または曲面部により形成されている。この実施例では、先端部４ｅは、頂角が２６度の円錐形状に形成されている。インナー透光体４ａの光透光方向の中心方向は、当該円錐の回転軸方向と一致している。よって、光放出面４ｆの一部は、当該円錐の円錐面であり、当該円錐の回転軸方向に対して平行にも直角にもなっていない。
【００３３】
後端部４ｃ側面には、アウター透光体４ｂに固定するための雄ネジ用ネジ溝４ｎが形成されている。尚、接着剤を用いてアウター透光体４ｂに固定する場合には、当該ネジ溝を無くしてもよい。
【００３４】
インナー透光体４ａの後端部４ｃには、光源３に対向し光源３からの光を入光する入光面４ｄを有している。この入光面４ｄは、インナー透光体４ａの中心軸に対して直角な平面であり、表面が平滑に形成されている。
【００３５】
このインナー透光体４ａは、後端部４ｃが表面部２ａの貫通孔２ｇに挿入されて、表面部２ａに固定されている。これにより、インナー透光体４ａの入光面４ｄは、光源３に正面対向して配置されている。
【００３６】
このような形状のインナー透光体４ａは、透明または半透明の素材により形成される。具体的には、アクリル等の透明素材により形成して表面（光放出面４ｆ）を光沢のあるように滑らかに形成（艶出し加工）する、アクリル等の透明素材により形成して表面（光放出面４ｆ）にサンド加工などの艶消し加工をして表面のみ半透明とする、あるいはルミレター等の乳白色の素材により形成するなど、透明または／および半透明となる適宜の素材および加工により形成すると良い。これにより、インナー透光体４ａそのもの、および光放出面４ｆの全部または一部は、透明または半透明に形成されており、全体として、透明のみ、半透明のみ、あるいは透明と半透明の組み合わせに形成されている。
【００３７】
＜アウター透光体とインナー透光体との固定＞
図３（Ｃ）に示すように、アウター透光体４ｂは、アウター透光体４ｂの挿入孔４ｇにインナー透光体４ａが挿入（羅入）され、アウター透光体４ｂの開口部付近にある雌ネジ用ネジ溝４ｋにインナー透光体４ａの後端部４ｃにある雄ネジ用ネジ溝４ｎがネジ止めされて、インナー透光体４ａに固定されている。このように固定されると、インナー透光体４ａの後端部４ｃは、アウター透光体４ｂの外周表面４ｈから外方に１〜３０ミリメートル突出するようになる。
【００３８】
尚、アウター透光体４ｂの挿入孔４ｇの奥面４ｉと挿入されたインナー透光体４ａの先端部４ｅの光放出面４ｆとは、接するようにしてもよく、また、０．５〜３０ミリメートル隙間を開けるようにしてもよい。
【００３９】
このように構成された透光体４は、光源３から照射される光をインナー透光体４ａの入光面４ｄから取り込んで透光し、インナー透光体４ａの長手方向にほぼまっすぐ透光した光を光放出面４ｆから多方向へ放射状に投光し、この投光された光をアウター透光体４ｂの奥面４ｉおよび側面４ｊの一部（奥面４ｉ近傍部分）から取り込んで透光し、アウター透光体４ｂの外周表面４ｈから放射状に照射する。インナー透光体４ａが光を放射状に放出する部分である先端部４４ｅの全体がアウター透光体４ｂの挿入孔４ｇに挿入されているため、アウター透光体４ｂは、先端部４４ｅから放射される光をほぼ全て受けとり、さらにアウター透光体４ｂ内を透過することで広く拡散して外周表面４ｈから放射状に照射することができる。
【００４０】
以上の構成により、光源３からの光を貫通孔２ｇ（図２参照）で絞り透光体４に照射された光は、インナー透光体４ａの入光面４ｄから入光した後、インナー透光体４ａおよびアウター透光体４ｂによって放射状に広げられ、外周表面４ｈから放射状に放出される。
【００４１】
この間、入光面４ｄや外周表面４ｈに加えて、光放出面４ｆや挿入孔４ｇにおいても、光の屈折、分散、及び反射が生じており、また、貫通孔２ｇでは光の回折が生じている。ここで、光の屈折や反射が生じると、光の進行方向が様々な方向に変えられる。また、光の分散が生じると、様々な波長（色）の光が分散により生成される。さらに、光の回折が生じると、コントラストやシャープさが低下したりする。このため、最終的に、様々な色の混じり合ったコントラストを含むバリエーションに富んだ光が、外周表面４ｈから様々な方向に向けて放出される。
【００４２】
このようにして、略球形の透光体４から放射状に光を照射することができ、この透光体４が文字の形に配置された意匠性発光装置１により、高級でありながらレトロな印象を与えるチャンネル文字を提供することができる。また、球形の電球を用いる場合とは異なり、中身の詰まった透光体４から発光することで、高級感のある光とすることができる。
【００４３】
また、ある程度の厚みがあり中身の詰まっているアウター透光体を透光させることにより、指向性の強いＬＥＤの光をやわらげることができる。これにより、意匠性発光装置１は、光源３の発光方向中心に対して正面から視認する人に対して、まぶしすぎるように感じさせることがなく、快適な環境を与えることができる。
【００４４】
また、インナー透光体４ａの光放出面４ｆ及びアウター透光体４ｂの挿入孔４ｇの奥面４ｉの少なくとも一方に、インナー透光体４ａの光透光方向に対して平行でも直角でもない傾斜面部または曲面部を備えている。これにより、インナー透光体４ａの入光面４ｄから入光した光を、当該傾斜面部または曲面部に入射するわずかな場所の違いにより入射角を大きく異ならせることができ、これらの面部での光の屈折や反射によって光の進行方向を多方向に変更でき、光の分散による波長（色）のバリエーションも増加させることができる。
【００４５】
また、当該傾斜面部または曲面部は、光放出面４ｆや挿入孔４ｇの奥面４ｉにあるため、上述のような輝きのある光を、透光体４の奥深い所で生成することができ、これをアウター透光体４ｂによってさらに拡散しやわらげることができる。
【００４６】
また、インナー透光体４ａは、雄ネジ用ネジ溝４ｎのある後端部４ｃが最大径となっているため、表面部２ａの貫通孔２ｇに対して、裏面側と表面側のどちらからでも挿入することができる。これにより、例えば設置後に振動等によってインナー透光体４ａが抜け落ちても、表面部２ａを筐体２から取り外すことなくインナー透光体４ａを貫通孔２ｇに挿入してネジ止めでき、メンテナンスを容易にすることができる。
【００４７】
また、アウター透光体４ｂは、インナー透光体４ａに被せるようにネジ止めできるため、振動等によって抜け落ちても容易に再度ネジ止めすることができる。
【００４８】
また、電子回路基板５上には、光源３が直付けされて一体となっている。そのため、光源３及びその制御回路の筐体２への装填あるいは交換が容易に行える。また、電子回路基板５上の所定の位置に光源３は直付けされているため、電子回路基板５を筐体２内の所定の位置に装填することにより、インナー透光体４ａの入光面４ｄに対向する位置に光源３は自動的に配置され、光源３の位置調整を改めて行う必要がなく、入光面４ｄと光源３の精度のよい正面対向を容易に実現できる。
【００４９】
アウター透光体４ｂの外周表面４ｈ、インナー透光体４ａの光放出面４ｆ、及びアウター透光体４ｂの挿入孔４ｇの奥面４ｉの少なくとも一つの面は、半透明な領域を有しているため、光を乱反射しながら透過させることができ、直線的ではない柔らかい光を放出できる。
【００５０】
そして、半透明な領域は、ぼんやりとした輝きを放つようになる。このようなぼんやりとした輝きは、どことなく優しい温かみを看者に感じさせる効果がある。
【００５１】
透光体４が１列でストロークを描いているため、描いている文字、図形、または模様を誤認することなく容易に視認させることができる。
【００５２】
＜アウター透光体の外形のバリエーション＞
【実施例２】
【００５３】
図４（Ａ）に示すように、実施例２のアウター透光体４１ｂは、球体の一部が割平面で切り落とされた割平面４１ｚを有する略球体状の外形に形成されている。この場合、球体の中心から割平面４１ｚまでの距離は、球体の直径の０〜４５％が好ましい。割平面４１ｚの中央には、半径方向で割平面４１ｚ側から球体の中心に向かう略柱状の孔である挿入孔４ｇが形成されている。
【実施例３】
【００５４】
図４（Ｂ）に示すように、実施例３のアウター透光体４２ｂは、球体部４２ｘの一部に球体部４２ｘより半径が短い円柱部４２ｙの端面を結合した電球状の外形に形成されている。この場合、当該円柱部４２ｙの高さは、２〜８０ミリメートルで、当該円柱部４２ｙの直径は、球体部４２ｘの直径の２０〜１００％が好ましい。そして、円柱部４２ｙの中心軸に沿って円柱の他方の底面側から球体部４２ｘの中心に向かう略柱状の孔である挿入孔４ｇが形成されている。
【実施例４】
【００５５】
図４（Ｃ）に示すように、実施例４のアウター透光体４３ｂは、略回転楕円体状に形成されている。この場合、略回転楕円体状のアウター透光体４３ｂの赤道直径は、６〜１００ミリメートルが好ましい。また、略回転楕円体状のアウター透光体４３ｂの極直径は赤道直径の５０〜９０％の略扁球状が好ましく、また、赤道直径は極直径の５０〜９０％の略長球状が好ましい。このアウター透光体４３ｂは、略回転楕円体状の長軸の回転軸に沿って、外周面側から中心に向かう略柱状の孔である挿入孔４ｇが形成されている。
【００５６】
尚、図４（Ａ）において、球体に替えて回転楕円体を用いてもよい。すなわち、アウター透光体４ｂの外形は、回転楕円体の一部が極直径に垂直な平面で切り落とされた当該平面を有する略回転楕円体状（図示せず）としてもよい。
【００５７】
同様に、図４（Ｂ）においても、球体に替えて回転楕円体を用いてもよい。すなわち、アウター透光体４ｂの外形は、回転楕円体の一部が極直径に垂直な平面で切り落とされた当該平面を有する回転楕円体に当該平面を一方の底面とする円柱が結合された回転楕円体電球状（図示せず）としてもよい。
【００５８】
これらの実施例２〜４およびそのバリエーションの形状であっても、実施例１のアウター透光体４と同様の作用効果を奏することができる。
【００５９】
＜インナー透光体の外形のバリエーション＞
【実施例５】
【００６０】
図５（Ａ）に示すように、実施例５のインナー透光体４１ａは、先端部４１ｅを円錐状とし、光放出面４１ｆの一部に当該円錐の円錐面が含まれるようにしてもよい。尚、当該円錐の頂角は１０〜４０度が好ましい。
【実施例６】
【００６１】
図５（Ｂ）に示すように、実施例６のインナー透光体４２ａは、光放出面４２ｆとなる先端部４２ｅが中心軸と直角な平面に形成されている。
【実施例７】
【００６２】
図５（Ｃ）に示すように、実施例７のインナー透光体４３ａは、光放出面４３ｆとなる先端部４３ｅが逆円錐状に凹となる凹面に形成されている。
【実施例８】
【００６３】
図５（Ｄ）に示すように、実施例８のインナー透光体４４ａは、光放出面４４ｆとなる先端部４４ｅが円錐状に凸となる凸面に形成されている。
【００６４】
これらの実施例６〜７に示される先端部４２ｅ，４３ｅ，４４ｅの各円錐の頂角は１０〜３３０度が好ましい。なお、実施例６の先端部４２ｅは頂角１８０度に対応しており、１８０度より大きい頂角が実施例７に示した凹面、１８０度より小さい頂角が実施例８に示した凸面となる。
【実施例９】
【００６５】
図５（Ｅ）に示すように、実施例９のインナー透光体４５ａは、先端部４５ｅが半球面状の端部を有する円柱状とし、光放出面４５ｆの一部に、当該半球面が含まれるように形成されている。尚、当該半球面の曲率半径は、１〜４０ミリメートルが好ましい。
【実施例１０】
【００６６】
図５（Ｆ）に示すように、実施例１０のインナー透光体４６ａは、先端部４６ｅが、球体の一部に円柱の一端が結合された電球状とし、光放出面４６ｆの一部に、当該球体の表面が含まれるように形成されている。尚、当該球体の直径は、１〜７５ミリメートルが好ましい。
【００６７】
尚、図５（Ａ）〜（Ｆ）に示したインナー透光体４１ａ〜４６ａの何れにおいても、後端部４ｃ側面に、アウター透光体４ｂ（図示せず）に固定するための雄ネジ用ネジ溝４ｎが形成されている。尚、接着剤を用いてアウター透光体４ｂに固定する場合には、当該ネジ溝は不要である。
【実施例１１】
【００６８】
図５（Ｇ）に示すように、実施例１１のインナー透光体４７ａは、透光性のアクリル樹脂を用いて形成された先端面が半球面状の略円柱状の心棒５１ａと、当該心棒５１ａの後端部側の側面を被覆する金属製パイプ５２ａとで構成されている。そして、アウター透光体４ｂ（図３（Ａ）参照）に固定するための雄ネジ用ネジ溝が形成された金属製雄ネジリング５３ａが、当該金属製パイプ５２ａの後端部側面を取り巻くようにして、当該金属製パイプ５２ａと一体となって形成されている。
【００６９】
心棒５１ａの太さは、金属製雄ネジリング５３ａの外径の４０〜８０％が好ましい。  
金属製パイプ５２ａから露出する心棒５１ａの先端部の長さは、当該心棒の全長の５〜５０％が好ましい。
【００７０】
心棒５１ａの先端の半球面の曲率半径は、１〜４０ミリメートルが好ましい。  
金属製パイプ５２ａの太さは、金属製雄ネジリング５３ａの外径の５０〜９０％が好ましい。
【００７１】
金属製雄ネジリング５３ａを除いた金属製パイプ５２ａの長さは、心棒５１ａの全長の５０〜９０％が好ましい。  
金属製雄ネジリング５３ａの長さは、５〜４０ミリメートルが好ましい。
【００７２】
なお、これら実施例２〜１１について、透光体以外の各要素は、実施例１の意匠性発光装置１を構成した透光体４以外の各要素と同一であり、その詳細な説明を省略する。これら実施例２〜１１についても、実施例１と同様の作用効果を奏することができる。
【実施例１２】
【００７３】
実施例１２の意匠性発光装置１０１について、図６の正面図及び図７の縦断面図を用いて説明する。
【００７４】
この例では、筐体６２は、裏面部６２ｅと突出縁部６２ｄとが一体となって形成されている。突出縁部６２ｄの表面部６２ａに面する側面には、一段の段差６２ｚが設けられている。表面部６２ａは、突出縁部６２ｄの当該段差６２ｚ上に表面部６２ａの外周部６２ｂ及び内周部６２ｃが載置されている。表面部６２ａの「Ｄ」の文字の大きさは、約１００ミリメートル角であり、突出縁部６２ｄの高さは、約１５ミリメートルとなっている。尚、突出縁部６２ｄは、表面部６２ａの表面から外方に約４ミリメートル突出している。
【００７５】
ここでは、電子回路基板６５は、表面部６２ａに対向するようにして裏面部６２ｅに直付けされている。  
インナー透光体６４ａは、太さが４ミリメートルの長手形状である。  
アウター透光体６４ｂは、直径が１０ミリメートルの略球体状である。  
アウター透光体６４ｂの外周表面６４ｈの頂部の高さ位置は、突出縁部６２ｄの高さ位置より６ミリメートル程度高くなっている。
【００７６】
本願発明によれば、挿入孔６４ｇの開口の最大幅を変えることができ、また、挿入孔６４ｇの深さも変更できるため、看者や時代背景等の場面に合わせて、透光体６４で生成し放出する光の輝きの大きさや奥行き感を微妙に変えることが可能である。
【００７７】
尚、本願発明は、本実施形態に限られず他の様々な実施形態とすることができる。
【産業上の利用可能性】
【００７８】
本願発明は、店名やロゴの照明サインや照明広告の産業に利用することができる。
【符号の説明】
【００７９】
１…意匠性発光装置
２…筐体
２ａ…表面部
２ｄ…突出縁部
２ｅ…裏面部
２ｆ…アルミ複合板
２ｇ…貫通孔
２ｈ…スペーサ
３…光源
４…透光体
４ａ…インナー透光体
４ｂ…アウター透光体
４ｃ…後端部
４ｄ…入光面
４ｅ…先端部
４ｆ…光放出面
４ｇ…挿入孔
４ｈ…外周表面
４ｉ…奥面
５…電子回路基板
【図１】
2018022040.tif 000003
【図２】
2018022040.tif 000004
【図３】
2018022040.tif 000005
【図４】
2018022040.tif 000006
【図５】
2018022040.tif 000007
【図６】
2018022040.tif 000008
【図７】
2018022040.tif 000009